Podtech/llm-jp-corpus-v4-ja_patent huggingface dataset:
(57)【要約】【課題】底砂に水草や流木等を配した水槽に、直接ホース等で給水すると、底砂が水圧により掘れ、レイアウトが破壊される。  本発明は、水槽など水替え用の給水具を提供する。【解決手段】容器に整流用の大小穴を設ける。容器に水圧を受ける整流用受け皿を設ける。容器に給水ホース接続口を設ける。【選択図】図２
2010088412.tif 000002
【特許請求の範囲】
【請求項１】
容器に整流用の大小穴を開け、容器に整流用の受け皿、給水ホース連結用の口を設けた給水具。
【発明の詳細な説明】
【技術分野】
【０００１】  本発明は、水槽の給水時に発生する底砂の荒れ、レイアウトの破壊を改善するための給水具である。
【背景技術】
【０００２】  通常、水槽のレイアウト変更や水替えの手順は、給水前に底砂及び水草等をレイアウトした後給水する。
これは、水草を底砂に定着させるには給水前に植えないと抜けやすく定着が困難だからである。
【発明の開示】
【発明が解決しようとする課題】
【０００３】  通常通り給水すると、必然的に水圧により底砂が掘れ、レイアウトした水草の抜け、舞い上がった砂による汚れ等により給水後に手直しを加える必要があった。
本発明は、以上の問題点を解決するためになされたものである。
【課題を解決するための手段】
【０００４】  容器に整流用の大小穴を設ける。容器に水圧を受ける整流用受け皿を設ける。
容器に給水ホース接続口を設ける。
以上の構成よりなる給水具。
【発明の効果】
【０００５】  従来悩まされていた給水時の底砂の荒れ及びレイアウトの破壊は、本発明により改善され、給水完了後は手直しもなく、イメージ通りの水槽に仕上げることが出来る。
本発明は水の種類に関係なく使用できる。
【発明を実施するための最良の形態】
【０００６】  以下、本発明の実施の形態を説明する。
（イ）整流容器（１）の側壁に大小の穴（４）を設ける。
（ロ）整流容器（１）の上部に空気抜き用の小穴（５）を設ける。
（ハ）整流容器（１）の底部に水圧を受ける皿状の整流受け皿（３）を設ける。
（ニ）整流容器（１）の上部に給水用ホースを接続する口（２）を設ける。
本発明は以上のような構造である。
本発明を使用するときは、給水用ホース接続口（２）にホース（６）を接続し、給水具を水槽の底砂に置く。
したがって蛇口を開け給水を開始すると整流用受け皿（３）によって水圧が直接底砂に影響することなく、ゆっくり水槽に供給される。
水面が整流用受け皿（３）を超えたら、整流容器（１）に設けた大小の穴より給水される。
また、整流容器（１）の上部に設けた小穴（５）は整流容器（１）の内部に残った空気を抜くためのもので、これによって整流容器（１）の浮上を防ぐことが出来る。
【図面の簡単な説明】
【０００７】
【図１】本発明の斜視図
【図２】本発明の使用状態を示す斜視図
【符号の説明】
【０００８】（１）整流容器、（２）給水ホース接続口、（３）整流皿、（４）大小穴、（５）空気抜き穴、（６）給水ホース
【図１】
2010088412.tif 000003
【図２】
2010088412.tif 000004
(57)【要約】【課題】現在、食品に代表される保存パックは真空保存を目的としていないものが多く、また真空パックを目的としたものには空気を吸引するための大掛かりな機械を必要とするものがほとんどである。食品を代表とする生ものや調理品に関して長期保存の代表的な手法である『真空パック』及び『冷凍保存』を手軽に行える保存袋です。【解決手段】二重袋にして外袋と内袋の中に水、または空気等を入れ加圧することで内袋内を真空状態にする。外袋と内袋の中に水等を入れた状態で凍結することで、冷凍庫から出した後も保冷が可能となる。【選択図】図２
2010088411.tif 000002
【特許請求の範囲】
【請求項１】
内袋内に保存したい食品等を入れ、外袋と内袋との間に水、または空気等を入れて加圧し内袋内の空気を排出し真空状態をつくる。逆流防止弁を使用することで真空状態を保持し、さらにチャックをすることで真空状態の維持が可能となるため内袋と外袋の間に入れた水、または空気等を排出しても内袋の中は真空状態が維持され食品等を長期保存できる。
【請求項２】
外袋と内袋の間に水等を入れ加圧した場合、チャック後排出せず冷凍することで、冷凍庫から出してもより長期の保冷が可能である。
【請求項３】
水、または空気等の注入方法としてホースを使用し、ホースの一端は水道の蛇口にも取付ができるよう加工する。また、逆流防止弁にホースを差し込むことで真空処理後に水、または空気等の排出を行えるようにし、数回の再利用を可能とする。
【発明の詳細な説明】
【技術分野】
【０００１】本発明は、一般家庭における食品等、生もの・調理品の真空・冷凍用保存袋に関するものである。
【背景技術】
【０００２】現在、食品に代表される保存パックは真空保存を目的としていないものが多く、また真空パックを目的としたものには空気を吸引するための大掛かりな機械を必要とするものがほとんどである。食品を代表とする生ものや調理品に関して長期保存の代表的な手法である『真空パック』及び『冷凍保存』を手軽に行える保存袋です。
【発明の開示】
【発明が解決しようとする課題】
【０００３】食品を代表とする生もの、調理品の保存・運搬を手軽に実現する。
【課題を解決するための手段】
【０００４】二重袋にして外袋と内袋の中に水、または空気等を入れ加圧することで内袋内を真空状態にする。外袋と内袋の中に水等を入れた状態で凍結することで、冷凍庫から出した後も保冷が可能となる。
【発明の効果】
【０００５】従来の真空保存パックは空気を抜きシーリングするための大掛かりな機械を必要とし、また、食品保存用チャック付き袋では真空パックをするのが容易ではなかった。さらに冷凍したものを運搬する場合も別に保冷剤を用意する必要があった。上記のように二重袋にすることによりこの問題を解決することができる。
【発明を実施するための最良の形態】
【０００６】二重袋の形態にする。【０００７】真空状態を維持するため二重チャックを付ける。【０００８】外袋と内袋の間に水、または空気等を注入する為、外袋に口を設ける。
この口には逆流防止弁を採用する。【０００９】外袋と内袋の間に水、または空気等を注入・排出するためのホースを作る。
ホースの一端は水道の蛇口に接続できるように加工する。
【産業上の利用可能性】
【００１０】食品の他、つり用のえさの保存・運搬等幅広く使えると考えます。また、外出先でも簡単に真空パックができるのでキャンプやバーベキュー等の残り物を持ち帰る際にも活用できます。
【図面の簡単な説明】
【００１１】
【図１】使用前の袋の状態
【図２】食品等を入れ水を入れ真空パックした状態
【符号の説明】
【００１２】Ａ  チャック
Ｂ  内袋
Ｃ  外袋
Ｄ  逆流防止弁
Ｅ  水道接続可能口
Ｆ  ホース
Ｇ  食品等
Ｈ  水、または空気等
【図１】
2010088411.tif 000003
【図２】
2010088411.tif 000004
(57)【要約】      （修正有）【課題】多量の水分をゲル状で包含する焼酎カスは水分の除去が難しく、顕気醗酵による悪臭の発生を抑えることも困難で動物飼料には不適であった。一方、未利用資源である竹材の有効利用が急がれている。【解決手段】焼酎粕に粉末化した竹材の付加と好気性菌の添加による発酵処理で水分調整・分解促進・臭気成分の分解抑制等を促進する。同時に未利用資源が有用飼料として利用可能になる。【選択図】なし【特許請求の範囲】
【請求項１】
粉末状の竹パウダーと焼酎カスを混和し、さらに好気性微生物を加え、醗酵分解することで安全で消化吸収しやすい有用な飼料を製造する。
【発明の詳細な説明】
【発明の詳細な説明】
【発明の属する技術方法】
【０００１】本発明は竹微粉末と焼酎カスを混和し、好気性醗酵菌の介在のもと、醗酵させることで、竹の繊維を含むリグニン質が分解してセルローズが分解吸収しやすい物質となる。又ゲル状の焼酎カスに竹粉末を混和することで水分調整材として働き、焼酎カスが空気を取込みやすくなり、好気性醗酵分解によって腐敗も防止抑制される。
【背景技術】
【０００２】元来、笹竹等の枝葉は飼料として利用されているが粉砕技術の向上によって、竹の幹部、表皮などの硬質の繊維質部分も粉末化が可能になり、表皮の葉緑素や繊維質の硬質部分も本発明のバクテリアの分解力によって竹を消化しやすい飼料とすることが出来るようになった。好気性菌群の添加によって繊維質の分解、焼酎カスに含まれる植物蛋白質の分解を一層促進させ飼料の栄養価を高めることができた。
【発明が解決しようをする課題】
【０００３】したがって、微生物の好気醗酵分解作用によって、竹粉末の繊維素を分解し飼料成分の吸収向上を助長する。又焼酎カスに含まれる、粗蛋白質をペプチド化して消化吸収を高める。竹粉を混合することで粘性は低減し、通気性は向上して、顕気性醗酵側を好気性醗酵側に変え、悪臭の発生原因を取り除くことが出来る。
【課題を解決するための手段】
【０００４】焼酎カス、竹粉末にバイオ液（好気性微生物液）を加注し醗酵することで、飼料として付加価値の高い製品とすることが出来る。
【発明の効果】
【０００５】生竹粉末パウダーの単体では飼料としての価値は低いが、ゲル状の焼酎カスに竹粉末を加え、水分調整することで好気性醗酵を行い、悪臭の発生を抑制するとともに未分解成分の醗酵分解と低分子化による吸収効果を上げることが出来る。
(57)【要約】【課題】本発明は、必要な時には容易に移動できてカテーテルの挿入長さを簡単に変更できるカテーテル固定具を提供することにある。【解決手段】カテーテルの長さ方向への移動を制御して該カテーテルを所定の位置に固定する略円筒状のカテーテル固定部、体表に接して固定する略円盤状の体表固定部、及び前記カテーテル固定部の外側面と前記体表固定部の体表に接する面の反対面とが連結された複数のアームによって構成され、前記カテーテル固定部の全高（Ａ）と、前記カテーテル固定具の全高（Ｂ）との比率（Ａ）／（Ｂ）は、５／１０以上、９／１０以下であることを特徴とする。【選択図】図１
2010088464.tif 000002
【特許請求の範囲】
【請求項１】
経皮的に体内へ挿入されるカテーテルの長さ方向に移動自在に嵌装され、該カテーテルを体表に固定するカテーテル固定具であって、
前記カテーテルの長さ方向への移動を制御して該カテーテルを所定の位置に固定する略円筒状のカテーテル固定部、体表に接して固定する略円盤状の体表固定部、及び前記カテーテル固定部の外側面と前記体表固定部の体表に接する面の反対面とが連結された複数のアームによって構成され、前記カテーテル固定部の全高（Ａ）と、前記カテーテル固定具の全高（Ｂ）との比率（Ａ）／（Ｂ）は、５／１０以上、９／１０以下であることを特徴とするカテーテル固定具。
【発明の詳細な説明】
【技術分野】
【０００１】
本発明は、カテーテル固定具に関するものである。
【背景技術】
【０００２】
近年、経口から栄養を摂取できない患者に対する栄養の投与方法として、胃内へ経皮的に挿入された胃瘻用カテーテルから直接栄養を注入する栄養管理が多く行われている。
【０００３】
経皮的に挿入される胃瘻用カテーテルには、カテーテルの挿入長さを規定すると共に体表部分にカテーテルを固定するカテーテル固定具が考案されている（例えば、特許文献１参照）。
【０００４】
【特許文献１】特開２００６−３０５０２５号公報
【発明の開示】
【発明が解決しようとする課題】
【０００５】
従来のカテーテル固定具は、一度カテーテルの挿入長さを決定し体表にカテーテルを固定すると、例えばカテーテルの挿入長さを変更したい場合、カテーテルとの摩擦が大きいために固定具を容易に移動することができないという問題点があった。
本発明は、必要な時には容易に移動できてカテーテルの挿入長さを簡単に変更できるカテーテル固定具を提供することにある。
【課題を解決するための手段】
【０００６】
このような目的は、下記の本発明により達成される。
経皮的に体内へ挿入されるカテーテルの長さ方向に移動自在に嵌装され、該カテーテルを体表に固定するカテーテル固定具であって、
前記カテーテルの長さ方向への移動を制御して該カテーテルを所定の位置に固定する略円筒状のカテーテル固定部、体表に接して固定する略円盤状の体表固定部、及び前記カテーテル固定部の外側面と前記体表固定部の体表に接する面の反対面とが連結された複数のアーム、によって構成され、前記カテーテル固定部の全高（Ａ）と、前記カテーテル固定具の全高（Ｂ）との比率（Ａ）／（Ｂ）は、５／１０以上、９／１０以下であることを特徴とするカテーテル固定具。
【発明の効果】
【０００７】
本発明によれば、必要な時には容易に移動できてカテーテルの挿入長さを簡単に変更できるカテーテル固定具を提供することができる。
【発明を実施するための最良の形態】
【０００８】
次に、本発明の好適な実施の形態におけるカテーテル固定具について図１〜図４を参照にして説明する。
図１はカテーテルにカテーテル固定具を取り付けた概略図、図２はカテーテル固定具の断面図、図３はカテーテル固定具をカテーテル上方へ移動させるときの断面図、図４はカテーテル固定具をカテーテル下方へ移動させるときの断面図である。ここで、カテーテル上方とはカテーテル基端部側への方向を意味し、カテーテル下方とはカテーテル先端部側への方向を意味する。
【０００９】
図１に示すように、本発明の好適な実施の形態におけるカテーテル固定具４０は、カテーテルの長さ方向への移動を制御して該カテーテルを所定の位置に固定する略円筒状のカテーテル固定部１０、体表に接して固定する略円盤状の体表固定部３０、及び前記カテーテル固定部の外側面と前記体表固定部の体表に接する面の反対面とが連結された複数のアームから構成されている。カテーテル固定具４０は、カテーテルに嵌装し、カテーテルの長さ方向へ自在に移動させて体表に固定することにより、所定の位置でカテーテルの挿入長さを規定するものである。
【００１０】
カテーテル固定具４０は弾性材料で形成されることが好ましく、例えば、軟質塩化ビニル樹脂、ポリウレタン樹脂、シリコーンゴム等が挙げられるが、生体において組織反応性の少ないシリコーンゴムを好ましく用いることができる。カテーテル固定部１０、アーム２０、体表固定部３０が一体で形成されていてもよく、別部品として組み立ててもよい。
【００１１】
図２に示すように、カテーテル固定部１０のカテーテル固定部底面１１が体表固定部３０の体表固定部底面３１よりも上方にあり、体表固定部３０のカテーテルが挿入されている体表部分を露出するように形成されている。このときのカテーテル固定部１０の全高（Ａ）とカテーテル固定具４０の全高（Ｂ）の比率（Ａ）／（Ｂ）は、５／１０以上、９／１０以下である。更に好ましくは、６／１０以上、８／１０以下である。比率（Ａ）／（Ｂ）を上記範囲とすることで体表部分にカテーテル固定部底面３１が接触することがないため、カテーテルが挿入されている体表部分にかかる負担を低減することができる。
【００１２】
更に、比率（Ａ）／（Ｂ）を上記範囲とすることで、図３及び図４に示すように、カテーテル固定具４０をカテーテルに沿わせて移動させるときに、アーム２０を指で上方又は下方に変形させることが容易となり、カテーテル外面とカテーテル固定部１０の内腔面との接触面積が小さくなることで摩擦も小さくなり、カテーテル固定具の移動を容易なものとすることができる。また、カテーテル固定具４０を移動させた後にアーム２０の変形を解除することで、固定力は回復する。
【００１３】
本発明の好適な実施の形態におけるカテーテル固定具によれば患者の体内臓器内へ経皮的にカテーテルを挿入し体表部分を固定するカテーテル固定具が通常はカテーテルに固定されているが、必要な時には容易に移動できるカテーテル固定具を提供することができる。
【図面の簡単な説明】
【００１４】
【図１】カテーテルにカテーテル固定具を装着した概略図である。
【図２】カテーテル固定具の断面図である。
【図３】カテーテル固定具を上方に移動させるときに変形させた断面図である。
【図４】カテーテル固定具を下方に移動させるときに変形させた断面図である。
【符号の説明】
【００１５】
１０  カテーテル固定部
１１  カテーテル固定部底面
２０  アーム
３０  体表固定部
３１  体表固定部底面
４０  カテーテル固定部
（Ａ）カテーテル固定部全高
（Ｂ）カテーテル固定具全高
【図１】
2010088464.tif 000003
【図２】
2010088464.tif 000004
【図３】
2010088464.tif 000005
【図４】
2010088464.tif 000006
(57)【要約】【課題】  凍結状態で食したときに好ましい食感、味で食べられるフローズンデザートゼリー菓子、及びその製造方法を提供する。【解決手段】  食べ易い大きさに成型したゼリーに、チョコレートパウダー、ココアパウダー、抹茶、、黄な粉、クッキーパウダー、ココナッツミルクパウダー、各種ナッツパウダー、及びその他各種食品パウダーなどの加工品を塗布した後、ゼリー一個一個をばらばらの状態で凍結することにより、凍結状態で食べた時にも好ましい食感、味の冷凍ゼリー菓子を得る。ゲル化剤の主剤としてはゼラチン、ローカストビーンガム、カラギーナン、キサンタンガム、ジェランガム、ペクチン及び寒天等を使用することを特徴とする。【選択図】なし【特許請求の範囲】
【請求項１】
ゲル化剤を使用したゼリーを食べ易い大きさに成型し、各々成型したゼリーに粉末食品素材を塗したのち、バラ凍結した粉末食品を組合せたことを特徴とする粉末食品類で覆った冷凍ゼリー菓子、及びその製造方法。
【請求項２】
前記の冷凍ゼリーは食べたときに好ましい粘弾性のある食感とコク味を有する特徴のある物性を有する凍結ゼリーに仕上げた請求項１に記載の粉末食品類で覆った冷凍ゼリー菓子の製造方法。
【請求項３】
食べたときに良好な噛み心地を有する食感であってサイズは一辺が１０〜２５ｍｍのダイス状や、ハート型、星型などにしたものである請求項１叉は２に記載の粉末食品類で覆った冷凍ゼリー菓子の製造方法。
【請求項４】
ゼリー用ゲル化剤の主剤としてゼラチン、ローカストビーンガム、カラギーナン、キサンタンガム、ジェランガム、ペクチン及び寒天等を使用することを特徴として凍結ゼリーに仕上げた粉末食品類で覆った冷凍ゼリー菓子、及びその製造方法。
【請求項５】
食べ易い大きさに成型したゼリーに覆う食品素材としてチョコレートパウダー、ココアパウダー、抹茶、黄な粉、クッキーパウダー、各種ナッツパウダーココナッツミルクパウダー及びその他各種食品パウダーなどの加工品を塗したことを特徴とする粉末食品類で覆った冷凍ゼリー菓子の製造方法。
【請求項６】
ダイス状や、ハート型、星型などに成型したゼリーに粉末状の食品素材を塗しＩＱＦ（個々にバラ凍結）状態で急速凍結をした粉末食品類で覆った冷凍ゼリー菓子の製造方法。
【発明の詳細な説明】
【技術分野】
【０００１】  本発明は通常のゲル化剤を使用したゼリーを食べ易い大きさに成型し、各々成型したゼリーに粉末食品素材を塗し、ゼリーと粉末食品とを組合せたものをバラ凍結することを特徴とした粉末食品類で覆った冷凍ゼリー菓子、及びその製造方法に関する。
【背景技術】
【０００２】  ゼリー類には、寒天ゼリー、グミゼリーなどの乾燥菓子や、カップ入りのチルド製品、常温流通の製品、冷凍流通のゼリー製品などが製造販売されている。しかし、これらは冷凍したままで食べられることがほとんど無く、仮に冷凍したものを食すると硬すぎたり、糊状感が強い食感で、好ましいものにはならない。【０００３】  アイスクリームなどの冷菓とゼリーのコンビネーション製品もみられるが、冷凍状態で食するゼリーは食感が好ましくないので、小さい粒状または、薄い膜状のゼリーを使ったものが見られる程度である。
【発明の開示】
【発明が解決しようとする課題】
【０００４】  上記したようにゼリーを凍結状態で食べたときに、好ましくない食感となるゼリーを好ましい食感になるように改善し、冷凍下で食したときにおいしく感じる冷凍ゼリー製品、及び、その製造方法を提供することを目的とする。
【課題を解決するための手段】
【０００５】  上記の課題を解決するため、本発明者らは検討を行なってきた結果、食べ易い大きさに成型したゼリーに粉末食品類としてチョコレートパウダー、ココアパウダー、抹茶、黄な粉、クッキーパウダー、  ココナッツミルクパウダー、各種ナッツパウダー及びその他各種食品パウダーなどの加工品を塗すことを特徴とした粉末食品類で覆った冷凍ゼリー菓子の発明に至った。【０００６】  即ち、ゲル化剤を使用したゼリーを食べ易い大きさに成型し、各々成型したゼリーに粉末食品素材を塗し、バラ凍結することにより、ゼリーと粉末食品とを組合せたことを特徴とした粉末食品類で覆った冷凍ゼリー菓子である。【０００７】  冷凍ゼリー単体としては食べたときに粘弾性のある食感とコク味を有する特徴的な冷凍ゼリーである。【０００８】  食べたときに良好な噛み心地を有する食感であってサイズは一辺が１０〜２５ｍｍのダイス状や、ハート型、星型などにしたものである。【０００９】  ゼリー用ゲル化剤は主剤としてゼラチン、ローカストビーンガム、カラギーナン、キサンタンガム、ジェランガム、ペクチン及び寒天等を使用することを特徴とする。。【００１０】  食べ易い大きさに成型したゼリーに覆う粉末食品としてチョコレートパウダー、ココアパウダー、抹茶、黄な粉、クッキーパウダー、  ココナッツミルクパウダー、各種ナッツパウダー及びその他各種食品パウダーなどの加工品を使用する。【００１１】  食べ易い大きさに成型したゼリーに粉末食品を塗しＩＱＦ（個々にバラ凍結）状態で急速凍結をした粉末食品類で覆った冷凍ゼリー菓子及び製造方法を提供する。
【発明の効果】
【００１２】  本発明によれば、ゼリーが凍結状態でもおいしく食することができるようになり、このゼリーをそのまま、または、アイスクリームのような冷菓と組み合わせて食することが出来るようになり、新しい製品開発に大いに寄与することができる。
【発明を実施するための最良の形態】
【００１３】  ゼリー用ゲル化剤は主剤としてゼラチン、ローカストビーンガム、カラギーナン、キサンタンガム、ジェランガム、ペクチン及び寒天等を使用することにより、粘弾性のある食感とコク味を有する特徴のある物性を有する凍結ゼリーとなる。【００１４】  食べたときに良好な噛み心地を有する食感のゼリーであって、サイズは一辺が１０〜２５ｍｍのダイス状や、ハート型、星型など様々な形状にすることが出来る。【００１５】  食べ易い大きさに成型したゼリーに覆う粉末食品としてチョコレートパウダー、ココアパウダー、抹茶、黄な粉、クッキーパウダー、各種ナッツパウダー及びその他各種食品パウダーなどの加工品を使用することができる。【００１６】ゼリーに粉末状の食品素材を塗しＩＱＦ（個々にバラ凍結）状態で急速凍結をした粉末食品類で覆った製品とする。
【実施例】
【００１７】  以下、実施例をあげて本発明を具体的に説明する。
実施例  粉末食品類で覆った冷凍ゼリー菓子及びその製造方法。
【表１】
2010088408.tif 000002
【００１８】表１の配合の割合で試験製造を実施した。製造手順は次の通り
▲１▼グラニュー糖、ゲル化剤製剤を水に分散、加熱溶解後、水あめ、オレンジ果汁、香料を添加し、型に流し込み、冷却、ゼリーを得る。
▲２▼▲１▼のゼリーを食べやすい形にカットしたのち、ココナッツミルクパウダーをまぶし、急速凍結機にかけ、粉末食品類で覆った冷凍ゼリー菓子を得た。【００１９】  得られた粉末食品類で覆った冷凍ゼリー菓子は好ましい粘弾性があり、粉末食品とゼリーの食感の組み合わせが面白く、味、食感、見た目にも好ましいフローズンデザートゼリーであった。
一方、粉末食品類で覆わない冷凍ゼリーはブロッキングしたり、ベタッとした食感で、好ましい食感とは言えないものであった。
(57)【要約】【課題】円柱や角柱に物掛け具を釘等で打ち付けたり、接着剤等で貼り付けたりせずに、簡単に取り付ける、または、取り外すことができる物掛け具を提供するのが本発明の課題である。【解決手段】面接合可能な二本の帯と、これら二本の帯をそれぞれの先端部において、相対回動可能に連結する連結具と、前記連結具に取り付けた物掛け用フックとよりなり、かつ前記二本の帯の少なくとも一部は、弾性帯で構成したものである。【選択図】図２
2010088479.tif 000002
【特許請求の範囲】
【請求項１】
面接合可能な二本の帯と、これら二本の帯をそれぞれの先端部において、相対回動可能に連結する連結具と、前記連結具に取り付けた物掛け用フックとよりなり、かつ前記二本の帯の少なくとも一部は、弾性帯となっていることを特徴とする物掛け具。
【発明の詳細な説明】
【技術分野】
【０００１】
本発明は、面接合可能な二本の帯を円柱や角柱に交互に螺旋状に巻き付けるだけで、簡単にハンガー等を吊り下げることができる物掛け具に関するものである。
【背景技術】
【０００２】
従来より、物掛け具は、壁等に釘で打ち付けたり、接着剤で貼り付けたり、磁石でくっつけたりするなどして固定して使用するのが主流であった。しかし、この種の物掛け具は、壁等の平面な場所以外では使用することができないという問題点があった。
【発明の開示】
【発明が解決しようとする課題】
【０００３】
本発明は、このような従来の問題点を解決するためになされたもので、打ち付けたり、貼り付けたり、くっつけたりせずに、柱に簡単に取り付けることができる物掛け具を提供するのが課題である。
【課題を解決するための手段】
【０００４】
本発明に係わる物掛け具は、面接合可能な二本の帯と、これら二本の帯をそれぞれの先端部において、相対回動可能に連結する連結具と、前記連結具に取り付けた物掛け用フックとよりなり、かつ前記二本の帯の少なくとも一部は、弾性帯で構成したものである。
【発明の効果】
【０００５】
本発明の物掛け具は、面接合可能な二本の帯を、柱に巻き付けるだけの構成になっているので、簡単に、自由に取り付けたり、取り外したりすることができる。また、釘や接着剤等も使用することも無いので、柱に傷を付けることも無く、汚したりもしないという利点がある。
【発明を実施するための最良の形態】
【０００６】
［実施例]
図１は、実施例の物掛け具Aを示す。
図１、において、１は表面がフック面2となっている帯であり、４は裏面がループ面3となっている帯である。両帯１．４の先端部５，６は連結具７によって相対回動に連結されている。１４はこの連結具7に取り付ける物掛け用フックである。実施例の物掛け具Aは、このような構成となっているので、これを柱８に取り付けるときは、図２，図３、に示す要領で取り付ける
【０００７】
すなわち、二本の帯１，４をそれぞれの先端部５，６を、柱８にあてがい、上に向かって弛みができないように引っ張りながら、交互に螺旋状に巻き付け、図３、に示すように、柱を半周したところで交差した両帯が面接合９し、図２、で一方の帯の一部の弾性帯１０によって引き伸ばされた帯の終端部１１が、もう一方の帯の終端部１２とで面接合１３する。
【０００８】
このようにすると、図３、に示すように、下方向に対しての維持力が生まれることで、両帯１，４の先端部５，６の相対回動可能に連結する連結具７に取り付けた物掛け用フック１４にハンガー専を吊り下げることができる。
【０００９】
実施例では、表面がフック面２、裏面がループ面３になっている表裏一体型の面ファスナーの帯１，４を使用したが、フック面とループ面がそれぞれが別々になっている面ファスナーや、伸縮性のある面ファスナー等、構造や材質の違う面ファスナー等でも応用が可能である。
【００１０】
また、実施例では、二本の帯１，４の一方の帯1の一部の弾性帯１０によって引き伸ばされた帯の終端部１１が、もう一方の帯の終端部１２を面接合１３で接合をする方法をとっている。帯の一部は弾性帯で構成したが、場合によっては、全部を弾性帯にしてもよい。以上のこれらは、柱の太さを限定していない範囲の取り付け方法である。また、予め、両帯の長さを、巻きつける柱の外周より多少長めに調整しておけば、弾性帯を使用せずに、両帯の両終端部を直接面接合することができる。この場合、帯の長さは、螺旋状に巻き付ける長さを考慮して、柱を一巻きする程度の長さがあれば問題なく取り付けることができる。また、これら以外の方法としては、スナップボタンやホック等の掛け止め機能を有するものであれば状況に応じて利用しても問題はない。また、先端部５，６の裏面にゴム張り等を施せば、物掛け用フック１４に物を吊り下げた時の維持力が高まり、より一層の滑り止め効果が期待できる。
【図面の簡単な説明】
【００１１】
【図１】実施例の物掛け具の正面図である。
【図２】実施例の物掛け具の柱への取り付け要領を示す正面図である。
【図３】実施例の物掛け具の柱への取り付け要領を示す背面図である。
【符号の説明】
【００１２】
A 物掛け具
1 帯
2 フック面
3 ループ面
4 帯
5 先端部
6 先端部
7 連結具
8 柱
9 面接合
10 弾性帯
11 終端部
12 終端部
13 面接合
14 物掛け用フック
【図１】
2010088479.tif 000003
【図２】
2010088479.tif 000004
【図３】
2010088479.tif 000005
(57)【要約】【課題】ガスコンロのグリル内で調理する場合、焼き網に魚等の汚れが付着してしまう。【解決手段】上下二つの波型部分を設けた波型プレートでアルミホイルをはさみ、波型を成型し、アルミホイルに出来た波の谷にあたる部分に貫通プレートで穴を開けた焼き網防汚シートを成型し、波の山、谷の部分を焼き網の横軸部分にあわせ装着して調理することで焼き網に汚れが付くことを防止でき、さらに魚等から落ちた油は、防汚シートに設けた穴から水受け皿に落とすことが出来る。【選択図】図１
2010088850.tif 000002
【特許請求の範囲】
【請求項１】
上下二つの波型部分を設けた波型プレートの各々プレートの波の谷に当たる部分に穴を設け、下側の波型プレートには、アルミホイルをはさむ為のクリップを設け、上側の波型プレートは、そのクリップを避ける形で蝶番等を介して下側プレートとつながっており、波型プレートに設けた穴より露出したアルミホイルに穴を開けるための鋭角部分を持つ貫通プレートを設けた焼き網防汚シート製造機。
【発明の詳細な説明】
【技術分野】
【０００１】本発明はガスコンロのグリル内の焼き網に装着する焼き網防汚シートの製造機に関する。
【背景技術】
【０００２】ガスコンロのグリル内の焼き網を使い魚等を調理すると焼き網に汚れが付着してしまう。
【発明の開示】
【発明が解決しようとする課題】
【０００３】上述の如くガスコンロのグリル内の焼き網で魚等を調理すると焼き網に汚れが付着してしまい、洗うのが面倒であった。【０００４】本発明はこのような問題に鑑みてなされたものであり、その目的は、主に焼き網を汚さないことにあり、焼き網防汚シート製造機により成型した防汚シートを焼き網に装着する事により、焼き網に付着する汚れを防止することが出来る。
【課題を解決するための手段】
【０００５】上記課題を解決するために、本発明の焼き網防汚シート製造機は上下二つの波型部分を設けた波型プレートの各々プレートの波の谷に当たる部分に穴を設け、下側の波型プレートには、アルミホイルをはさむ為のクリップを設け、上側の波型プレートは、そのクリップを避ける形で蝶番等を介して下側プレートとつながっており、さらに波型プレートに設けた穴から露出したアルミホイルに穴を開けるための鋭角部分を持つ貫通プレートを設ける。これにより出来た防汚シートを焼き網に装着する事により、焼き網に付着する汚れを防止することが出来る。
【発明の効果】
【０００６】以上説明したように本発明によれば、焼き網防汚シート製造機で成型した防汚シートを焼き網に装着する事により、焼き網に付着する汚れを防止することが出来る。
【発明を実施するための最良の形態】
【０００７】以下本発明の実施形態を図面に示す実施例に基づいて説明する。
図１に本発明に係わる焼き網防汚シート製造機１の実施例の斜視図を示す。図２は波型プレート部の一実施例を示す斜視図で、図３は本発明の貫通プレートの一実施例を示す斜視図、図４はアルミホイルを装着した波型プレート部の開状態を示す左側面図、図５は焼き網の正面図、図６は焼き網防汚シートの斜視図である。【０００８】図２に示すように焼き網防汚シート製造機１の波型プレート部２は上下二つの波型部分を設けた波型プレートの各々プレートの波の谷に当たる部分に穴６を設け、下側の波型プレート４には、アルミホイル１０をはさむ為のクリップ７を設け、上側の波型プレート３は、そのクリップ７を避ける形で蝶番等８を介して下側プレート４とつながっている。【０００９】また、波型プレート部２に設けた穴６から露出したアルミホイル１０に穴を開けるための鋭角部分９を持つ貫通プレート５を設ける。
【実施例】
【００１０】以下に本発明の実施例を図面に基づいて説明する。
図４に見られるようにまず上側の波型プレート３を跳ね上げ、このプレートの横幅より左右が各１から２ｃｍ程長いアルミホイル１０を任意の長さに切り、それをクリップ７ではさみ装着し、上側の波型プレート３を降ろすことにより、アルミホイル１０は波型に成型することが出来る。【００１１】また、成型時に波型プレートから左右に各１から２ｃｍ程はみ出たアルミホイル１０の耳部分１１を、手により上側の波型プレート３方向に折り曲げる。これによりアルミホイル１０の横幅の長さを整えると同時に波型に成型したアルミホイル１０を強固にすることが出来る。【００１２】さらにアルミホイル１０を波型プレート部２で固定したまま、貫通プレート５の鋭角部分９を波型プレート部２に設けた穴６に押し込んでいく事により、露出したアルミホイル１０部分に油を水受け皿に落とすための穴を開けることが出来る。【００１３】これにより出来た防汚シート１２の波型の山に当たる部分を、図５に示す焼き網１３の横軸１４に被せ、耳部分１１を焼き網１３の縦軸１５に折り曲げ、巻き込むことにより、焼き網１３に装着することができ、焼き網１３に付着する汚れを防止し、さらに魚等から落ちた油は、穴６から水受け皿に落とすことが出来る。
【産業上の利用可能性】
【００１４】本発明は、魚等をガスコンロのグリル内の焼き網で焼く時の焼き網を防汚する防汚シートを製造する焼き網防汚シート製造機として利用することが出来る。
【図面の簡単な説明】
【００１５】
【図１】本発明の一実施例を示す全体斜視図である。
【図２】本発明の波型プレート部の一実施例を示す斜視図である。
【図３】本発明の貫通プレートの一実施例を示す斜視図である。
【図４】アルミホイルをセットした波型プレート部の開状態を示す左側面図である。
【図５】焼き網の正面図である。
【図６】焼き網防汚シートの斜視図である。
【符号の説明】
【００１６】１焼き網防汚シート製造機
２波型プレート部
３上側プレート
４下側プレート
５貫通プレート
６プレートに設けた穴
７クリップ
８蝶番
９鋭角部分
１０アルミホイル
１１耳部分
１２防汚シート
１３焼き網
１４焼き網の横軸
１５焼き網の縦軸
【図１】
2010088850.tif 000003
【図２】
2010088850.tif 000004
【図３】
2010088850.tif 000005
【図４】
2010088850.tif 000006
【図５】
2010088850.tif 000007
【図６】
2010088850.tif 000008
(57)【要約】      （修正有）【課題】がんは血液の病気ではないかとおもいます。たとえば、転移が早すぎる点です。１ヶ月でがんになって６ヶ月で転移している例もあります。細胞の病気なら１０年はかかります。血液が悪くなっているのではないでしょうか。そして、よわいところ、よわいところ、を狙って転移していると思います。食べ物としては、遺伝子を食べて成長して行くと考えられます。【解決手段】透析で血液を洗えばなおります。透析によって直すことができると思います。そして、副作用がありません。【選択図】図１
2010088841.tif 000002
【特許請求の範囲】
【請求項１】
がんは血液の病気です。
【請求項２】
血液が悪くなってしまうんです。
【請求項３】
よはい所よはい所狙って攻撃してきます。
【請求項４】
がんは遺伝子を食べて成長していきます。
【発明の詳細な説明】
技術分野
【０００１】背景技術
【０００２】特許文献１
特許文献２
非特許文献１
非特許文献２
発明の開示
発明が解決しようとする課題
がん
課題を解決するための手段
透析
【発明の効果】
良好
【発明を実施するための最良の形態】透析でやってみてください。
【実施例】身おとしているかもしれません。
【産業上の利用可能性】ヨドガワ、キリスト病院のがん患者の皆様と多くの人を救いたい。
【図面の簡単な説明】
【図１】
【符号の説明】
【図１】
2010088841.tif 000003
【手続補正書】
【提出日】平成21年1月9日(2009.1.9)
【手続補正１】
【補正対象書類名】明細書
【補正対象項目名】全文
【補正方法】変更
【補正の内容】
【発明の詳細な説明】
技術分野
【０００１】背景技術
【０００２】特許文献１
特許文献２
非特許文献１
非特許文献２
発明の開示
発明が解決しようとするための課題
がん
課題を解決するための手段
透析
【発明の効果】
良好
【発明を実施するための最良の形態】透析でやってみてください。
【実施例】身おとしているかもしれません。
【産業上の利用可能性】ヨドガワ、キリスト病院のがん患者の皆様と多くの人を救いたい。
【図面の簡単な説明】
【図１】透析で血液からはなれて、浮遊物とがんのウイルスが漂っているという場面を書いた物です。
(57)【要約】【課題】  必要なときにいつでも簡単に取り出せるリストバンド型携帯袋を提供する。【解決手段】  袋本体に設けられた収納パーツに袋本体を収納し、手首に巻きつけることで未使用時はリストバンドとなることを特徴とするリストバンド型携帯袋。【選択図】図１
2010088843.tif 000002
【特許請求の範囲】
【請求項１】
袋本体に収納パーツを設け、前記袋本体を前記収納パーツに収納し、手首に巻きつけ、ボタン型留め具で固定することにより、未使用時はリストバンドとなることを特徴とするリストバンド型携帯袋。
【請求項２】
請求項１記載のリストバンド型携帯袋において、前記ボタン型留め具に代えて面ファスナー型留め具を備えたリストバンド型携帯袋。
【請求項３】
請求項１又は２に記載のリストバンド型携帯袋において、前記袋本体が容易に折りたたみできるよう折り目が付けられていることを特徴とするリストバンド型携帯袋。
【発明の詳細な説明】
【技術分野】
【０００１】  本発明は、袋本体を、袋本体に設けられた収納パーツに収納し、手首に巻きつけることで未使用時はリストバンドとして携帯できるリストバンド型携帯袋に関するものである。
【背景技術】
【０００２】  今日、エコロジーの観点からレジ袋を減らす活動が盛んであるため、小さく折りたたみ携帯できる袋の発明が知られている。
【発明の開示】
【発明が解決しようとする課題】
【０００３】  そのために、次のような問題点があった。
（イ）急な買い物であったため、手元に携帯袋がなく、やむなくレジ袋を使用することがある。
（ロ）携帯袋を持ち運ぶための鞄の中から携帯袋を取り出すのに手間がかかる。
本発明は、以上の問題点を解決するためになされたものである。
【課題を解決するための手段】
【０００４】  袋本体に収納パーツを設け、前記袋本体を前記収納パーツに収納し、手首に巻きつけ、ボタン型留め具で固定することにより、未使用時はリストバンドとなる。以上を特徴とするリストバンド型携帯袋である。【０００５】  また、前記ボタン型留め具に代えて面ファスナー型留め具を備えたリストバンド型携帯袋である。【０００６】  さらに、前記袋本体が容易に折りたたみできるように折り目が付けられていることを特徴とするリストバンド型携帯袋である。
【発明の効果】
【０００７】  携帯袋を手首に巻きつけ、リストバンドとして身につけることで、必要なときにいつでも簡単にすばやく携帯袋を取り出すことができる。
【発明を実施するための最良の形態】
【０００８】  以下に本発明の形態について説明する。
（イ）袋本体（１）に、収納パーツ（２）を設ける。
（ロ）収納パーツ（２）に、留め具（３）を設ける。
本発明は、以上の構成よりなっている。
本発明を使用するときは、袋本体（１）に設けられた収納パーツ（２）の中に袋本体（１）を収納し、袋本体（１）が収納された収納パーツ（２）を手首（４）に巻きつけ、留め具（３）で固定する。
【図面の簡単な説明】
【０００９】
【図１】本発明の斜視図
【図２】収納過程を示す図
【図３】収納過程を示す図
【図４】リストバンドとして手首に装着した状態を示す図
【符号の説明】
【００１０】  １  袋本体
２  収納パーツ
３  留め具
４  手首
【図１】
2010088843.tif 000003
【図２】
2010088843.tif 000004
【図３】
2010088843.tif 000005
【図４】
2010088843.tif 000006
(57)【要約】【課題】  本発明は、掃除の雑巾がけを楽にできるように工夫した、三角柱の三面体からなる三面モップで、掃除用の三面モップを提供する。【解決手段】  横にした三角柱の拭き取り体の両端の中央部に穴を設け、別に三角型状の支軸の両端を穴に挿入し、支軸の頂部に柄を設け、拭き取り体を回転させ三面を利用する掃除用の三角モップである。【選択図】図１
2010088842.tif 000002
【特許請求の範囲】
【請求項１】
横にした三角柱の拭き取り体（１）の両端の中央部に穴（２）を設け、別に設けた三角型状の支軸（３）の両端を穴（２）に挿入し、支軸の頂部に柄を設けたことを特徴とする掃除用の三面モップ。
【発明の詳細な説明】
【技術分野】
【０００１】  本発明は、掃除の雑巾がけを楽にできるように工夫した、三角柱の三面体からなる三面モップで、掃除用の三面モップに関するものである。
【背景技術】
【０００２】  従来、掃除の雑巾がけモップは、一面で拭くものが多く、汚れた雑巾布で広い範囲を拭いていた。
【発明の開示】
【発明が解決しようとする課題】
【０００３】  そのため、次のような問題点があった。
モップの雑巾布を洗うことが面倒なために、汚れた雑巾布の状態で拭き汚れを広げることもあり、清潔感に欠けていた。
本発明は以上の問題点を解決しようとするものである。
【課題を解決するための手段】
【０００４】  本発明は、横にした三角柱の拭き取り体（１）の両端の中央部に穴（２）を設ける。
別に設けた三角型状の支軸（３）の両端を穴（２）に挿入する。
支軸（３）の頂部に柄（４）を設ける。
以上を特徴とする掃除用の三面モップである。
【発明の効果】
【０００５】  本発明は、上記のように構成したので汚れた場所を拭くときに、三面を利用することで面倒な汚れた雑巾布の洗う回数を減らすことができる。
したがって、作業力の軽減、作業時間の短縮と清潔感が保たれる。
【発明を実施するための最良の形態】
【０００６】  以下、本発明の実施の形態について説明する。
横にした三角柱の拭き取り体（１）の両端の中央部に穴（２）を設ける。
別に設けた三角型状の支軸（３）の両端を穴（２）に挿入する。
支軸（３）の頂部に柄（４）を設ける。
以上を特徴とする掃除用の三角モップである。
本発明は、以上の構成よりなっている。
本発明を利用するときは、上記の三角柱形状からなる三面体に別途用意した雑巾布を装着し、柄（４）の長さを使いやすい人体の長さに合わせ、汚れを拭く。
また、汚れた雑巾布の面を替えるときは、拭き取り体（１）を回転させる。
【図面の簡単な説明】
【０００７】
【図１】  本発明の斜視図である。
【図２】  本発明の使用状態を示した斜視図である。
【符号の説明】
【０００８】  １  拭き取り体
２  穴
３  支軸
４  柄
【図１】
2010088842.tif 000003
【図２】
2010088842.tif 000004
(57)【要約】      （修正有）【課題】ハサミの軸箇所にスペースを設け、折りたたむと軸箇所にハサミが収納でき、収納時のサイズは、カードの形状になることを特徴するハサミを提供する。【解決手段】右刃１と左刃２をリベット３で止め、ハンドル兼カバー４の部分に、右刃１と左刃２を収納できるスペースを設け、さらに、右刃１と左刃２とハンドル兼カバー４を取り付け、取り付け箇所にハトメ６を使用できるようにする。非使用時にはハンドル兼カバー４を刃に被さるようにすることでカード形状に折りたたむことができる。【選択図】図２
2010088847.tif 000002
【特許請求の範囲】
【請求項１】
（イ）右刃（１）と左刃（２）をリベット（３）で止める。
（ロ）ハンドル兼カバー（４）箇所に、右刃（１）と左刃（２）収納できるスペースを設ける。
（ハ）ハンドル兼カバー（４）箇所に指穴（５）を設ける。
（二）右刃（１）左刃（２）とハンドル兼カバー（４）取り付け、取り付け箇所にハトメ（６）を使用する。
本発明は以上のような構成されたハサミ。
【発明の詳細な説明】
【技術分野】
【０００１】  本発明は、ハサミの指を入れるハンドルは折りたたむとカード型のカバーとなり、ハサミを安全に収納することができ持ち運びにも便利であることを特徴とするハサミに関するものである。
【背景技術】
【０００２】  従来、ハサミ箇所にカバーを取り付ける形状のハサミがあった。
【発明の開示】
【発明が解決しようとする課題】
【０００３】  そのために次のような問題点があった。
（イ）ハサミは、筆箱等の収納箱に収まりにくく携帯時にはカバーが外れやすく周りの物を傷つけ安全性も低かった。
（ロ）ハサミ箇所にカバーではコンパクトにできず筆箱等に収まらなかったものが多く収納性が低かった。
（ハ）ハサミとしての性能を落とさずにカード上に収納できる形状への調整が大変難しかった。
本発明は、これらの問題点を解決するためになされたものである。
【課題を解決するための手段】
【０００４】（イ）右刃（１）と左刃（２）をリベット（３）で止める。
（ロ）ハンドル兼カバー（４）箇所に、右刃（１）と左刃（２）収納できるスペースを設ける。
（ハ）ハンドル兼カバー（４）箇所に、指穴（５）を設ける。
（ハ）右刃（１）左刃（２）とハンドル兼カバー（４）取り付け、取り付け箇所にハトメ（６）を使用する。
本発明は以上のような構成されたハサミである。
【発明の効果】
【０００５】  ハサミとしての性能を維持したままカード上に折りたためる事で携帯時の収納性、安全性、デザイン性が向上できるものである。
折りたたんだハサミは取手箇所のスペースに収納されカードの形状になる。
【発明を実施するための最良の形態】
【０００６】  以下、本発明の実施の形態について説明する。
（イ）右刃（１）と左刃（２）をリベット（３）で止める。
（ロ）ハンドル兼カバー（４）箇所に、右刃（１）と左刃（２）収納できるスペースを設ける。
（ハ）ハンドル兼カバー（４）箇所に、指穴（５）を設ける。
（ハ）右刃（１）左刃（２）とハンドル兼カバー（４）取り付け、取り付け箇所にハトメ（６）を使用する。
本発明は以上のような構成である。
本発明を使用するときは、右刃・左刃と軸の装着箇所にハトメを使用し、稼働性を利用してカード上へ変形できるものである。
ハサミの軸箇所にスペースを設け、ハサミと軸の取り付け箇所にハトメを使用する。
そのハトメ加工箇所の稼働性を利用しハサミを折りたためるようにする。
【図面の簡単な説明】
【０００７】
【図１】本発明の正面図（収納型）
【図２】本発明の正面図（ハサミ型）
【符号の説明】
【０００８】  １  右刃
２  左刃
３  リベット
４  ハンドル兼カバー
５  指穴
６  ハトメ
【図１】
2010088847.tif 000003
【図２】
2010088847.tif 000004
(57)【要約】【課題】ゴルフ初心者においては、アドレスの時のクラブヘッドの角度やクラブフェイスの角度が誤っていたり、其の都度ズレテいたりして、スコアアップの妨げになっていた。【解決手段】クラブシャフトのグリップエンド端に設計者が意図した角度で丸型気泡式水準器を装着することにより、クラブの設計者が意図したアドレスの状態を容易に再現することを可能にした。【選択図】図１
2010088844.tif 000002
【特許請求の範囲】
【請求項１】
ゴルフクラブシャフトのグリップエンド部に丸型気泡式水準器を装着したことを特徴とするゴルフクラブ。
【請求項２】
ゴルフクラブシャフトのグリップエンド部に、容易に丸型気泡式水準器を装着したり取り外したりすることを可能にしたことを特徴とするゴルフクラブ。
【請求項３】
アドレス状態のとき、クラブヘッドやクラブフェイスがクラブ設計者の意図する正しい角度に保持されたとき、クラブシャフトのグリップエンドが水平な平面になっていることを特徴とするゴルフクラブ。
【請求項４】
上記、請求項３のクラブシャフトのグリップエンドの平面が、磁性体で構成されて、磁石付丸型気泡式水準器が容易に装着したり取り外したりすることを可能にしたことを特徴とするゴルフクラブ。
【請求項５】
アドレス状態のとき、クラブヘッドやクラブフェイスがクラブ設計者の意図する正しい角度に保持されたとき、クラブシャフトのグリップエンドに装着された丸型気泡式水準器や磁石付丸型気泡式水準器の気泡が指示円の中心に位置して、クラブヘッドやクラブフェイスの角度が正しいことが確認できることを特徴としたゴルフクラブ。
【発明の詳細な説明】
【技術分野】
【０００１】  本願発明はゴルフクラブのグリップエンド部に丸型気泡式水準器を装着することで、ゴルフクラブの設計者の意図するアドレス時のクラブヘッドとクラブフェイスの正しい角度をプレイヤーが容易に再現できるようにすることに関する。
【背景技術】
【０００２】  従来、プレイヤーによるアドレス時のクラブヘッドやクラブフェイスの角度の決定は、プレイヤーの目視に基づく勘にたよっていた。【０００３】  しかし、初心者においては、誤ったクラブヘッドやクラブフェイスの角度でプレーしていたり、アドレスの度にその角度が微妙にずれていたりして、安定した弾道や飛距離を得ることが困難であり、スコアアップの妨げになっている。
【発明の開示】
【発明が解決しようとする課題】
【０００４】  そこで、本願発明は上記課題を解決するために、ゴルフクラブの設計者の意図するクラブヘッドやクラブフェイスの正しい角度をプレイヤーが容易に再現することができるようにすることである。
【課題を解決するための手段】
【０００５】  上記課題を解決するための手段として本願発明は、クラブシャフトのグリップエンド部を平面にして、そこに丸型気泡式水準器を装着することで、アドレス時のクラブヘッドとクラブフェイスの角度が正しいか誤っているか確認できるようにした。【０００６】  更に、上記クラブシャフトのグリップエンドの平面の角度は、クラブシャフトを垂直に立ててみると、斜めになっていて、各クラブ相互に違いを有している。【０００７】  更に、上記クラブシャフトのグリップエンドの平面の角度の決定は、アドレス時に正しくクラブ設計者の意図した角度にクラブヘッドとクラブフェイスの角度を保持したとき、クラブシャフトのグリップエンドの平面が水平になるようにすることによる。【０００８】  上記クラブシャフトのグリップエンドの水平になっている平面に丸型気泡式水準器を装着した場合、気泡は指示円の中心に位置して、アドレス時のクラブの状態が、クラブの設計者の意図した状態に容易に再現される。【０００９】  更に、磁石付き丸型気泡式水準器を使用して容易に着脱できるようにする為に、上記クラブシャフトのグリップエンドの平面を磁性体で構成することも選択肢の内にある。
【発明の効果】
【００１０】  以上のような本願発明によれば、ゴルフの初心者においても容易に、アドレスの時のクラブヘッドとクラブフェイスの角度を、そのクラブの設計者が意図した角度に再現することが可能になり、安定した弾道や飛距離を得て技術の向上とスコアアップにつながる。【００１１】  以下本発明を図に従って説明する、１のアドレス状態にあるゴルフクラブのクラブヘッドの角度とクラブフェイスの角度は、クラブの設計者の意図する角度に保持されている。【００１２】  ２のグリップエンド端の平面は地球に対して水平になっている。【００１３】  ３の丸型気泡式水準器は上記グリップエンド端の平面に装着されて、さらにその気泡は指示円の中心に位置して、そのクラブのアドレスの状態が設計者が意図したものと同一であることを示している。【００１４】  ４は上記グリップエンド部の拡大図である。【００１５】  ５はグリップエンドの平面に埋めて装着している磁性体の金属等である。【００１６】  ６は磁石付き丸型気法式水準器であり、容易にグリップエンドの平面部に着脱できる。
【図面の簡単な説明】
【００１７】
【図１】グリップエンドに丸型気泡式水準器が装着された本発明のゴルフクラブ
【図２】磁石付き丸型気泡式水準器を使用する場合のグリップエンドの状態
【符号の説明】
【００１８】    １    クラブヘッド
２    グリップエンド端の平面
３    グリップエンド端の平面に装着された丸型気泡式水準器
４    グリップエンドの拡大図
５    グリップエンド端に装着された磁性体の金属等
６    磁石付き丸型気泡式水準器
【図１】
2010088844.tif 000003
【図２】
2010088844.tif 000004